(57)【要約】【課題】照明装置の光源の交換作業を少なくし、また照明板に光むらを発生させない。【解決手段】エレベータかご室の天井部に所定の間隔をおいて平行に複数個の照明器具８が取付けられる。これら複数個の照明器具を覆うように照明器具８の下方の位置に照明板９ｂが設けられる。各照明器具８は、それぞれ平行に配置された複数本の冷陰極蛍光ランプ７およびこれら冷陰極蛍光ランプ７の上方の位置に設けられた反射板１０を設けて構成され、また隣合う照明器具８の冷陰極蛍光ランプ７間の間隔ｃと各照明器具８に設けられた複数本の冷陰極蛍光ランプ７間の間隔ｃとがほぼ等しくなるように配置して構成される。【選択図】  図３
2004149303.tif 000002
【特許請求の範囲】
【請求項１】
エレベータかご室の天井部に取付けられ、それぞれ平行に配置された複数本の冷陰極蛍光ランプおよびこれら冷陰極蛍光ランプの上方の位置に設けられた反射板を有する複数個の照明器具と、この複数個の照明器具を覆うように下方の位置に設けられた照明板とからなり、前記複数個の照明器具は、隣合う照明器具の冷陰極蛍光ランプ間の間隔と各照明器具に設けられた複数本の冷陰極蛍光ランプの間隔とがほぼ等しくなるように配置されていることを特徴とするエレベータかご室の照明装置。
【請求項２】
前記反射板の縁部には、立ち上がり片が設けられ、この立ち上がり片の高さ寸法が、前記反射板から前記冷陰極蛍光ランプ中心までの寸法より短く構成されていることを特徴とする請求項１に記載のエレベータかご室の照明装置。
【請求項３】
前記立ち上がり片の近傍に位置する冷陰極蛍光ランプの中心と当該立ち上がり片の先端部とを結ぶ直線と、隣合う照明器具の冷陰極蛍光ランプの中心どうしを結ぶ直線とがなす角度が５４度以下となるように前記立ち上がり片の高さ寸法が設定されていることを特徴とする請求項１に記載のエレベータかご室の照明装置。
【請求項４】
前記照明器具に安定器が一体に取付けられ、この安定器および前記冷陰極蛍光ランプ端部が絶縁体で覆われていることを特徴とする請求項１ないし３のいずれかに記載のエレベータかご室の照明装置。
【請求項５】
前記照明器具は、複数本の冷陰極蛍光ランプを覆う透光性合成樹脂カバーからなる照明板が設けられていることを特徴とする請求項１ないし４のいずれかに記載のエレベータかご室の照明装置。
【発明の詳細な説明】
【０００１】
【発明の属する技術分野】
本発明は、エレベータかご室の照明装置に関する。
【０００２】
【従来の技術】
エレベータは、昇降路上部の機械室に設けられた巻上機により吊りロープを介してかご室が昇降され、利用客がかご室内の行先階の呼び登録ボタンや各階の乗り場の呼び登録ボタンを押して呼びを登録することで、かご室により指定する階に移動できるようになっている。
【０００３】
エレベータかご室は、一般に天井部に照明装置が設けられ、この照明装置によりかご室内を照らし出して安全性や利便性を確保している。この照明装置は、一般家庭や施設で使用されている市販蛍光灯が用いられているが、蛍光灯は寿命が短いため、交換作業を頻繁に行なわなければならないという問題がある。
【０００４】
そこで、蛍光灯に代えて、直径１ｍｍ〜６ｍｍ程度と管径が細く、寿命の長い特性を有する冷陰極蛍光ランプを照明装置の光源として用いることが考えられる。
【０００５】
【発明が解決しようとする課題】
冷陰極蛍光ランプは、液晶機器のバックライトとして使用されているが、もともと導光板を介して画面を面照光する仕様に構成されているので、そのまま使用しても、冷陰極蛍光ランプの照射角度が小さく、照明板面に光むらが発生する。
【０００６】
本発明は、上述の問題点を解決するためになされたもので、照明装置の光源の交換作業を少なくし、また照明板に光むらを発生させることのないエレベータかご室の照明装置を提供することを目的とする。
【０００７】
【課題を解決するための手段】
本発明は、上記の課題を解決するために、エレベータかご室の天井部に取付けられる複数個の照明器具と、これら複数個の照明器具を覆うように下方の位置に設けられた照明板とから構成し、各照明器具は、それぞれ平行に配置された複数本の冷陰極蛍光ランプおよびこれら冷陰極蛍光ランプの上方の位置に設けられた反射板を設けて構成するとともに、隣合う照明器具の冷陰極蛍光ランプ間の間隔と各照明器具に設けられた複数本の冷陰極蛍光ランプの間隔とがほぼ等しくなるように配置して構成したことを特徴とする。
【０００８】
このように構成すれば、複数個の照明器具の光源である冷陰極蛍光ランプが等間隔で配置され照明板に対して均等に照射することができるので、照明板に光むらが発生せず、しかも寿命が長い冷陰極蛍光ランプの特性を活用して交換作業を少なくすることができる。
【０００９】
この場合、反射板の縁部に立ち上がり片を設け、この立ち上がり片の高さ寸法を、反射板から冷陰極蛍光ランプ中心までの寸法より短く構成しておくことが望ましい。
【００１０】
また、立ち上がり片の近傍に位置する冷陰極蛍光ランプの中心と当該立ち上がり片の先端部とを結ぶ直線と、隣合う照明器具の冷陰極蛍光ランプの中心どうしを結ぶ直線とがなす角度が５４度以下となるように立ち上がり片の高さ寸法を設定することもできる。
【００１１】
さらに照明器具に安定器を一体に取付け、この安定器および冷陰極蛍光ランプ端部を絶縁体で覆うこともできる。
【００１２】
また照明器具は、複数本の冷陰極蛍光ランプを透光性合成樹脂カバーからなる照明板により覆うこともできる。
【００１３】
【発明の実施の形態】
以下、本発明の実施の形態を説明する。図１は本発明のエレベータかご室の照明装置における第１実施の形態を示す正面図である。
図２（ａ）ないし（ｃ）は、図１の第１実施の形態で使用する照明器具を示す正面図、側面断面図および下面断面図である。図３は図１の主要部を拡大して示す正面断面図である。
【００１４】
図１において、かご室床１の上面周囲に正面の出入り口２を除いて幅木３が固定され、この幅木３上に複数枚の側板４が隣接状態に並べて設けられる。出入り口２の上部には両側の側板４に挟さまれるように幕板５が設けられている。
【００１５】
複数枚の側板４や幕板５上には天板６が取付けられて天井部が構成され、この天板６の下面に、複数本の冷陰極蛍光ランプ７をユニット光源とする複数の照明器具８が平行に配置され、またこれら複数個の照明器具８を覆うように照明器具８の下方に位置して箱体９ａにより支持された照明板９ｂが設けられて照明装置が構成されている。照明板９ｂは透光性の乳白色あるいは透明体に凹凸、溝などを設けて散光性を高めた合成樹脂カバーからなる。
【００１６】
この照明装置における照明器具８は、図２に示すように、ユニットケースを兼用する長方形の反射板１０に、直径１ｍｍないし６ｍｍ程度の冷陰極蛍光ランプ７を複数本例えば２本、平行に配置して支持し、また長手方向の一端部に冷陰極蛍光ランプ７を駆動するインバータ機能を有する安定器１１を一体に取付けて構成したもので、冷陰極蛍光ランプ７および安定器１１は、反射板１０に絶縁体からなるカバー１２，１３により支持固定され、電線１４等でそれぞれ接続されてコネクタ１５により外部に接続される。
【００１７】
カバー１２，１３は、冷陰極蛍光ランプ７の端部や安定器１１の端末接続部を覆うように反射板１０に固定されている。
【００１８】
反射板１０の冷陰極蛍光ランプ７に対向する面の両側に位置する両側縁部には、立ち上がり片１０ａ，１０ａが設けられており、反射体１０の機械的強度が高められている。この立ち上がり片１０ａ，１０ａにおける反射板１０底辺から先端部までの高さ寸法ａは、図３に示すように、反射板１０底辺から冷陰極蛍光ランプ７の中心までの高さ寸法ｂよりも短く構成され、冷陰極蛍光ランプ７の光束が１８０度以上に広がり、照明板８により拡散してかご室内を明るく照らすようになっている。
【００１９】
そしてこの照明器具８は、かご室の天井部に複数個平行に並べて取付けられ、特に図３に示すように隣合う照明器具８の冷陰極蛍光ランプ７間の間隔ｃと各照明器具８に設けられた複数本の冷陰極蛍光ランプ７の間隔ｃとがほぼ等しくなるように配置されている。これにより複数個の照明器具８における複数個の冷陰極蛍光ランプ７は、すべてが等間隔で配置されることになる。
【００２０】
このようにして複数個の照明器具８を、それぞれ複数本の冷陰極蛍光ランプ７を平行に配置して共通の反射板１０により反射し、また各照明器具８の冷陰極蛍光ランプ７を等間隔で配置し、反射板１０における立ち上がり片１０ａの高さ寸法ａを高さ寸法ｂより短くして冷陰極蛍光ランプ７の光束を、反射板１０から照明板９ｂの方向に１８０度以上照射することにより、照明板９ｂに対して光むらを発生させることなく照らし出すことができる。
【００２１】
また各照明器具８は、それぞれユニットとして構成されて取り扱いが容易になり、しかも寿命が長い冷陰極蛍光ランプの特性を活かして交換作業を少なくすることができる。
【００２２】
さらに冷陰極蛍光ランプ７や安定器１１の電気接続部が絶縁体のカバー１２，１３で覆われているので、照明器具８の点検交換に際して感電することもない。
【００２３】
上記第１実施の形態では、反射板１０の立ち上がり片１０ａの底辺から先端部までの高さ寸法ａを、反射板１０底辺から冷陰極蛍光ランプ７の中心までの高さ寸法ｂよりも短い構成としたが、反射板１０の機械的強度を更に向上させるため、および露出した冷陰極蛍光ランプ７を保護するために立ち上がり片１０ａの高さ寸法ａを高さ寸法ｂよりも長くすることもできる。
【００２４】
図４は本発明の第２実施の形態を示す主要部の断面図であり、立ち上がり片１０ａの高さ寸法ａを高さ寸法ｂよりも長く構成した場合を示している。この場合は、立ち上がり片１０ａの近傍に位置する冷陰極蛍光ランプ７の中心と立ち上がり片１０ａの先端部とを結ぶ直線と、隣合う照明器具８，８の冷陰極蛍光ランプ７の中心どうしを結ぶ直線とがなす角度が５４度以下となるように立ち上がり片１０ｂの高さ寸法ａを設定する。
【００２５】
すなわち、第１実施の形態のように、複数本の冷陰極蛍光ランプ７を備えた照明器具８を天井部に複数個並べるとき、各照明器具８内の冷陰極蛍光ランプ７間距離ｃと、隣接する照明器具７の冷陰極蛍光ランプ７との距離ｃを等間隔に構成するのが照明板９ｂ面の光むら発生防止に最も効果がある。
【００２６】
一方、光源の中心から照明板までの距離ｄの１．５倍より光源間距離ｃが小さければ、照明板に光むらが発生しない、という照明技術の一般論より、
１．５ｄ≧ｃ    …（１）
があり、これを図４に示すように、隣合う照明器具８に当てはめると、
ｔａｎθ＝ｄ／０．５ｃ    …（２）
の（２）式が導かれ、θ＝５３．１度となる。したがって管径を見込んでθ≦５４°とするのがよい。仮にθ＝５４度より大きくすれば、照明器具同士をもっと近づけるか、距離ｄを大きくして光むらを低減する必要があるが、本実施の形態にように構成すれば、このような問題を発生することなく立ち上がり片１０ｂの高さ寸法ａを大きし器具強度を高めることができる。
【００２７】
図５は本発明の第３実施の形態を示す照明器具の断面図であり、上記各実施の形態では、冷陰極蛍光ランプ７を露出したが、本実施の形態では、複数本の冷陰極蛍光ランプ７を透明な合成樹脂カバー１６により覆うように構成して冷陰極蛍光ランプ７を保護することもできる。
【００２８】
なお、冷陰極蛍光ランプ７の動作効率を向上させるために照明器具８内にヒータを設けることもできる。
【００２９】
【発明の効果】
以上説明したように、本発明のエレベータかご室の照明装置によれば、複数個の照明器具を、それぞれ複数本の冷陰極蛍光ランプにより構成するとともに、隣合う照明器具の冷陰極蛍光ランプ間の間隔と各照明器具に設けられた複数本の冷陰極蛍光ランプの間隔とがほぼ等しくなるように配置して構成したことにより、照明板に対して均等に照射することができるので、照明板に光むらが発生せず、しかも寿命が長い冷陰極蛍光ランプの特性を活用して交換作業を少なくすることができる。
【図面の簡単な説明】
【図１】本発明のエレベータかご室の照明装置における第１実施の形態を示す正面図である。
【図２】（ａ）ないし（ｃ）は、図１の第１実施の形態で使用する照明器具を示す正面図、側面断面図および下面断面図である。
【図３】図１の主要部を拡大して示す正面断面図である。
【図４】本発明の第２実施の形態を示す主要部の断面図である。
【図５】本発明の第３実施の形態を示す照明器具の断面図である。
【符号の説明】
１…かご室床
２…出入り口
３…幅木
４…側板
５…幕板
６…幕板
７…冷陰極蛍光ランプ
８…照明器具
９ａ…箱体
９ｂ…照明板
１０…反射板
１０ａ…立ち上がり片
１１…安定器
１２，１３…カバー
１４…電線
１５…コネクタ
１６…合成樹脂カバー
【図１】
2004149303.tif 000003
【図２】
2004149303.tif 000004
【図３】
2004149303.tif 000005
【図４】
2004149303.tif 000006
【図５】
2004149303.tif 000007